(57)【要約】【課題】窓口収納による税公金業務の中で、帳票が特定企業への為替私製単票であることを識別する帳票認識プログラムを提供すること。【解決手段】金融機関の窓口で顧客から受け付けた帳票の種別を認識する帳票認識処理をコンピュータに実行させる帳票認識プログラムにおいて、前記コンピュータに、前記受け付けた帳票のイメージデータから文字認識を行う文字認識処理と、前記文字認識された情報に基づき、前記帳票が予め定められた特定企業への振込帳票である為替私製単票であるかを識別する窓口収納識別処理と、前記帳票が前記為替私製単票であると識別された場合に、前記文字認識された情報に基づき、前記特定企業への振込金額を認識する窓口収納認識処理と、前記為替私製単票であると識別された帳票に対応する特定企業の名称と前記認識された振込金額を通知する通知処理を、それぞれ実行させる。【選択図】図２
2019101454.tif 000002
【特許請求の範囲】
【請求項１】
金融機関の窓口で顧客から受け付けた帳票の種別を認識する帳票認識処理をコンピュータに実行させる帳票認識プログラムにおいて、
前記コンピュータに、
前記受け付けた帳票のイメージデータから文字認識を行う文字認識処理と、
前記文字認識された情報に基づき、前記帳票が予め定められた特定企業への振込帳票である為替私製単票であるかを識別する窓口収納識別処理と、
前記帳票が前記為替私製単票であると識別された場合に、前記文字認識された情報に基づき、前記特定企業への振込金額を認識する窓口収納認識処理と、
前記為替私製単票であると識別された帳票に対応する特定企業の名称と前記認識された振込金額を通知する通知処理を、それぞれ実行させる、
ことを特徴とする帳票認識プログラム。
【請求項２】
前記文字認識された情報に基づき、前記受け付けた帳票が税公金帳票であるかを識別する税公金識別処理を備え、
前記窓口収納識別処理は、前記税公金識別処理によって税公金帳票ではないと識別された帳票について、前記為替私製単票であるかを識別する
ことを特徴とする請求項１に記載の帳票認識プログラム。
【請求項３】
前記窓口収納識別処理によって為替私製単票であるかを識別され、かつ前記窓口収納認識処理によって振込金額が認識されない場合には、前記通知処理は、前記為替私製単票であると識別された帳票に対応する特定企業の名称のみを通知する
ことを特徴とする請求項１に記載の帳票認識プログラム。
【請求項４】
金融機関の窓口で顧客から受け付けた帳票の種別を認識して処理する帳票認識方法において、
前記受け付けた帳票のイメージデータから文字認識を行い、
前記文字認識された情報に基づき、前記帳票が予め定められた特定企業への振込帳票である為替私製単票であるかを識別し、
前記帳票が前記為替私製単票であると識別された場合に、前記文字認識された情報に基づき、前記特定企業への振込金額を認識し、
前記為替私製単票であると識別された帳票に対応する特定企業の名称と前記認識された振込金額を通知する
ことを特徴とする帳票認識方法。
【請求項５】
金融機関の窓口で顧客から受け付けた帳票の種別を認識して処理する帳票認識装置において、
前記受け付けた帳票のイメージデータから文字認識を行う文字認識処理部と、
前記文字認識された情報に基づき、前記帳票が予め定められた特定企業への振込帳票である為替私製単票であるかを識別する窓口収納識別部と、
前記帳票が前記為替私製単票であると識別された場合に、前記文字認識された情報に基づき、前記特定企業への振込金額を認識する窓口収納認識処理部と、
前記窓口収納識別部により為替私製単票であると識別された帳票に対応する特定企業の名称と前記窓口収納認識処理部により認識された振込金額を通知する通知部とを、備える
ことを特徴とする帳票認識装置。
【発明の詳細な説明】
【技術分野】
【０００１】
本発明は、帳票のイメージ情報から文字認識を行う帳票認識処理に関する。
【背景技術】
【０００２】
一般に、税公金帳票は、金融機関の窓口収納の用途で取り扱われる。窓口収納とは、納税者が納めた金額を収納先によって別段口と言われる棚に格納し、格納後消し込み処理を行い、別段口から各収納先へ金額を収める処理を言う。
【０００３】
そして、金融機関では、窓口収納の業務の中で、税公金帳票以外の振込帳票であって、宛先が特定企業への振込帳票(以下、為替私製単票あるいは為替私製単票帳票とも呼ぶ）も、取り扱いを行っている。そして、窓口のオペレーターは、受け付けた帳票が窓口収納の用途で取り扱いできる為替私製単票であるかを目視で識別している。
【０００４】
帳票の種別を識別する装置も提案されている。例えば、帳票の種類、収納先、金額、納期限、地域等の情報を読取って、帳票を仕分けする帳票仕分け装置も提案されている（特許文献１）。
【先行技術文献】
【特許文献】
【０００５】
【特許文献１】特開２０１１−１５０７３２号公報
【発明の概要】
【発明が解決しようとする課題】
【０００６】
金融機関からは、窓口収納の業務の中で、税公金帳票ではない為替私製単票も自動認識で処理したいとの要望も強く上がっている。しかし、窓口収納の税公金業務の中で、為替私製単票を自動で識別するためには、各種課題が存在する。例えば、為替私製単票はその種類が膨大でかつフォーマットがバラバラであること、また、帳票が為替私製単票と判断するために振込先銀行名や支店名など１０項目前後のチェックが必要であることなどである。これらの問題から、為替私製単票の自動認識は実際の導入が進んでいなかった。
【０００７】
本願発明は、上記課題に鑑み、窓口収納による税公金業務の中で、帳票が特定企業への為替私製単票であることを識別する帳票認識プログラムを提供することを目的とする。
【課題を解決するための手段】
【０００８】
上記目的を達成するために、金融機関の窓口で顧客から受け付けた帳票の種別を認識する帳票認識処理をコンピュータに実行させる帳票認識プログラムにおいて、前記コンピュータに、前記受け付けた帳票のイメージデータから文字認識を行う文字認識処理と、前記文字認識された情報に基づき、前記帳票が予め定められた特定企業への振込帳票である為替私製単票であるかを識別する窓口収納識別処理と、前記帳票が前記為替私製単票であると識別された場合に、前記文字認識された情報に基づき、前記特定企業への振込金額を認識する窓口収納認識処理と、前記為替私製単票であると識別された帳票に対応する特定企業の名称と前記認識された振込金額を通知する通知処理を、それぞれ実行させる。
【発明の効果】
【０００９】
本発明によれば、窓口収納による税公金業務の中で、帳票が特定企業への為替私製単票であることを識別する帳票認識プログラムを提供することができる。
【図面の簡単な説明】
【００１０】
【図１】帳票処理システムの全体構成図である。
【図２】帳票認識装置の機能ブロック図である。
【図３】各テーブルに記憶されているデータの具体例である。
【図４】窓口収納企業名テーブルの例である。
【図５】帳票処理装置のハードウェアブロック図である。
【図６】帳票認識処理のメインのフローチャートである。
【図７】前処理のサブルーチンである。
【図８】税公金帳票用のキーワード抽出処理のサブルーチンである。
【図９】窓口収納用の帳票のキーワード抽出処理のサブルーチンである。
【図１０】窓口収納先判別処理のサブルーチンである。
【図１１】窓口収納処理のサブルーチンである。
【図１２】認識結果通知処理のサブルーチンである。
【図１３】税公金帳票の具体例である。
【図１４】為替私製単票の具体例である。
【図１５】為替私製単票の認識対象項目の表である。
【発明を実施するための形態】
【００１１】
以下、図面に従って本発明の実施形態を説明する。図１は、帳票処理システム１の全体構成例を示す図である。帳票処理システム１は、帳票処理装置１０とスキャナ２０を有する。
【００１２】
帳票処理装置１０は、入力された帳票のイメージデータにより文字認識を行い、認識された文字により、帳票の種別を判断して、帳票の記載内容を認識するものである。
【００１３】
帳票処理装置１０は、ハードウェアとして、汎用のＰＣ（Personal Computer）を利用できる。そして、帳票処理装置１０には、帳票処理用のアプリ（後述する帳票アプリ５００）と帳票認識装置１００がソフトウェア機能として備えられる。帳票認識装置１００は、文字認識や帳票種類を認識するもので、帳票処理用のアプリに対するミドルウェアである。
【００１４】
また、帳票処理装置１０は、認識された帳票の種別や帳票の記載内容が表示されるモニタ１２、オペレーターからの操作指示を入力するキーボード１４を有する。
【００１５】
スキャナ２０は、撮像部により帳票をイメージデータに変換して  イメージデータを帳票処理装置１０に出力する。撮像部は、ラインセンサあるいは２次元画像センサである。スキャナ２０は、帳票処理装置１０に接続され、帳票処理装置１０により制御される。
【００１６】
図２は、帳票処理装置１０に備えられる帳票認識装置１００の機能ブロック図である。帳票認識装置１００は、主制御部１１０、スキャナ制御部１２０、税公金帳票識別部１３０、税公金認識処理部１４０、窓口収納識別部１５０、窓口収納認識処理部１６０、文字認識処理部１７０、認識結果通知部１８０を有する。
【００１７】
主制御部１１０は、帳票認識装置１００の全体を制御する。スキャナ制御部１２０は、スキャナ２０を制御して、撮像部による帳票の読取りを行わせ、読取った帳票のイメージデータを帳票処理装置１０に出力させる。
【００１８】
税公金帳票識別部１３０は、帳票のイメージデータから文字認識処理部１７０により抽出された文字に基づき、税公金キーワードテーブルＴ１及び税目追加キーワードテーブルＴ２を参照して、帳票が税公金帳票であるかを識別する。
【００１９】
図３は、税公金キーワードテーブルＴ１〜窓口収納キーワードテーブルＴ６に記憶されているデータの具体例である。以下、随時図３を参照して、テーブルについて説明する。
【００２０】
税公金キーワードテーブルＴ１には、キーワードとして、例えば、市区町村コード、会計管理者、・・・固定資産税・・・等々の用語が記憶される(図３参照)。また、税目追加キーワードテーブルＴ２には、キーワードとして、例えば、一般会計、歳入歳出外金、・・・保育料・・・等々の用語が記憶される。
【００２１】
税公金認識処理部１４０は、税公金帳票と識別された帳票に対して、税公金市区町村テーブルＴ３及び税公金企業名テーブルＴ４を参照して、帳票のイメージデータから文字認識処理部１７０により抽出され文字認識された文字列から、収納先・合計額・納期限等を決定する。
【００２２】
税公金市区町村テーブルＴ３には、キーワードとして、例えば、北海道、北海道札幌市・・・等々の市区町村名が記憶される。税公金企業名テーブルＴ４には、税公金の収納先（受取人）のキーワードとして、例えば、ＮＮＴＴ、東日本電力・・・等々の公益的な企業名が記憶される。
【００２３】
窓口収納識別部１５０は、窓口収納企業名テーブルＴ５を参照して、帳票が特定企業向けの窓口収納用の帳票、つまり為替私製単票であるかを識別する。なお、窓口収納用の帳票を窓口収納帳票とも呼ぶ。窓口収納企業名テーブルＴ５には、窓口収納用の帳票の収納先（受取人）のキーワードとして、例えば、ＦＦ学園、ＡＢＣ生命・・・・等々の企業名が記憶される。図４は、窓口収納企業名テーブルの内容と形式の具体例である。
【００２４】
窓口収納認識処理部１６０は、窓口収納キーワードテーブルＴ６を参照して、帳票から振込金額や振込先を認識する。窓口収納キーワードは、為替私製単票に記載される「見出し」の用語である。窓口収納キーワードテーブルＴ６には、窓口収納用の帳票のキーワードとして、例えば、振込金額、金額、お振込額、振込先、受取人・・・等々が記憶される。窓口収納用の帳票のキーワードは、振込金額と振込先に関するものである。
【００２５】
文字認識処理部１７０は、スキャナ２０から取得された帳票のイメージデータから、手書文字認識辞書Ｔ７及び活字文字認識辞書Ｔ８を参照して、帳票に記載された文字を認識する。
【００２６】
認識結果通知部１８０は、税公金認識処理部１４０及び窓口収納認識処理部１６０により認識された帳票の結果（帳票に記載された内容）を帳票アプリ５００に通知する。帳票アプリ５００は、認識された帳票の結果をモニタ１２に表示する。
【００２７】
図５は、帳票処理装置１０のハードウェアブロック図である。帳票処理装置１０は、ＣＰＵ(Central Processing Unit)３００、ＲＡＭ（Random Access Memory）３０２、ＲＯＭ（Read Only Memory）３０４、ＨＤＤ（Hard disk Drive）３０６、表示処理部３０８、入出力ＩＦ（Interface）３１０  、バス３１２を有する。
【００２８】
ＣＰＵ３００は、帳票処理装置１０を統括的に制御するものである。ＣＰＵ３００は、ＲＯＭ３０４に記憶されたプログラムを読込み、読込んだプログラムに従って、各種制御処理を実行する。
【００２９】
ＲＡＭ３０２は、プログラムやデータを一時的に記憶する記憶部であって、ワークエリアを提供する。ＲＡＭ３０２は、例えば、ＤＲＡＭ（Dynamic Random Access Memory）である。ＲＯＭ３０４は、プログラムやデータを保存記憶する不揮発性の記憶部である。ＲＯＭ３０４は、例えば、フラッシュメモリである。
【００３０】
ＨＤＤ３０６は、税公金キーワードテーブルＴ１、税目追加キーワードテーブルＴ２、税公金市区町村テーブルＴ３、税公金企業名テーブルＴ４、窓口収納企業名テーブルＴ５、窓口収納キーワードテーブルＴ６、手書文字認識辞書Ｔ７及び活字文字認識辞書Ｔ８を記憶する。
【００３１】
表示処理部３０８は、ＣＰＵ３００からの命令に従って、テキストや画像を表示用画像に変換して、接続されたモニタ１２に表示させる。本例では、表示処理部３０８は、認識された帳票の結果をモニタ１２に表示させる。
【００３２】
入出力ＩＦ（Interface）３１０は、キーボード１４やマウス（不図示）が接続され、キーボード１４等からの入力操作の信号をＣＰＵ３００に通知する。ＣＰＵ３００、ＲＡＭ３０２、ＲＯＭ３０４等は、バス３１２で接続される。
【００３３】
帳票認識装置１００は、ＣＰＵ３００、ＲＡＭ３０２、ＲＯＭ３０４、ＨＤＤ３０６等により実現される。
【００３４】
次に、図６〜図１２までのフローチャートを参照して、帳票認識装置１００による帳票認識処理の手順を具体的に説明する。
【００３５】
図６は、帳票認識処理のメインのフローチャートである。図６の処理は、帳票認識装置１００により実行される。オペレーターが、窓口で受け付けされた帳票をスキャナ２０にセットし、帳票処理装置１０の帳票アプリ５００の実行を指示したものとする。スキャナ２０が帳票の読取を行い、読取られた帳票のイメージデータを帳票処理装置１０に出力する。これにより、帳票認識装置１００は、帳票のイメージデータを取得する。
【００３６】
まず、帳票認識装置１００により以下で行われる帳票の種別判別のために、主に文字認識処理部１７０によって、帳票のイメージデータに対し前処理が行われる（ステップＳ１０）。
【００３７】
図７は、前処理のサブルーチンである。前処理は、イメージデータから文字列を抽出するための処理で、公知の処理であるので、簡単に説明する。
【００３８】
文字認識処理部１７０は、帳票のイメージデータに対し、罫線抽出用のイメージ２値化処理を行う（ステップＳ１００）。更に、文字認識処理部１７０は、帳票のイメージデータに対し、文字認識用のイメージ２値化処理を行う（ステップＳ１０２）。
【００３９】
文字認識処理部１７０は、罫線抽出用に２値化されたイメージデータから、罫線を抽出し（ステップＳ１０４）、さらに、セルを抽出する（ステップＳ１０６）。
【００４０】
文字認識処理部１７０は、文字認識用に２値化されたイメージデータから、「見出し」に相当する文字列を抽出する（ステップＳ１０８）。帳票には複数の項目が記載されるが、以下では、項目のタイトルを「見出し」と呼び、項目の具体的内容を「項目内容」と呼ぶ。
【００４１】
さらに、文字認識処理部１７０は、「見出し」とその「項目内容」を含む文字列（全面文字列）を抽出する（ステップＳ１１０）。
【００４２】
図１３及び図１４に帳票の具体例を示す。図１３は、税公金帳票の２例である。図１３の帳票Ｐ１は定型の税公金帳票の例で、帳票Ｐ２は非定型の税公金帳票の例である。帳票Ｐ１で、例えば、区分ａ１、入金ａ２、支払額ａ３、税額ａ４等が「見出し」である。
【００４３】
帳票Ｐ２で、例えば、通知書番号ａ１０  口座番号ａ１１、加入者名a１２等が、「見出し」である。そして、「11111−1−111111」（b１１）が口座番号ａ１１に対応する項目内容で、○○市会計管理者ｂ１２が加入者名a１２に対応する項目内容である。
【００４４】
図１４は、為替私製単票の具体例である。為替私製単票として、帳票Ｐ３と帳票Ｐ４を示す。帳票Ｐ３で、例えば、依頼日ａ２０、振込先銀行ａ２１、口座名ａ２２、受取人ａ２３、金額ａ２４等が、「見出し」である。「○○銀行△△△支店」ｂ２１が、振込先銀行ａ２１に対応する項目内容である。「□□□□学園」ｂ２３が、口座名ａ２２と受取人ａ２３に対応する項目内容である。１１１１１（ｂ２４）が、金額ａ２４に対する項目内容である。
【００４５】
帳票Ｐ４では、例えば、受取人ａ３０、金額ａ３１等が「見出し」である。「××株式会社」ｂ３０が、受取人ａ３０に対応する項目内容である。１１１１１（ｂ３１）が、金額ａ３１に対する項目内容である。
【００４６】
図７の前処理終了後、図６に戻り、税公金帳票識別部１３０は税公金帳票用のキーワード抽出を行う（ステップＳ１２）。図８は、税公金帳票用のキーワード抽出処理のサブルーチンである。
【００４７】
税公金帳票識別部１３０は、ステップＳ２００からステップＳ２１０までの処理を、ステップＳ１０８で抽出された「見出し」の文字列分ループする。そして、税公金帳票識別部１３０は、ステップＳ２０２からステップＳ２０８までの処理を、税公金キーワードテーブルＴ１及び税目追加キーワードテーブルＴ２のキーワードの総数分をループする。
【００４８】
税公金帳票識別部１３０は、抽出された文字列が税公金帳票用のキーワードに存在するかを判断する（ステップＳ２０４）。税公金帳票用のキーワードとは、税公金キーワードテーブルＴ１及び税目追加キーワードテーブルＴ２のキーワードである。
税公金帳票識別部１３０は、抽出された文字列が税公金帳票用のキーワードに存在すると判断すると（ステップＳ２０４のＹｅｓ）、税公金帳票用のキーワードと一致する文字列を抽出する（ステップＳ２０６）。
【００４９】
税公金帳票識別部１３０は、抽出された文字列が税公金帳票用のキーワードに存在しないと判断すると（ステップＳ２０４のＮｏ）、ステップＳ２０８に進む。
【００５０】
以上のように、税公金帳票識別部１３０は、受け付けた帳票の「見出し」のいずれかに税公金帳票用のキーワードが存在するかを判断する。帳票の見出しの文字列の全部についての判断が終了すると、図６に戻る。
【００５１】
図６に戻り、主制御部１１０は、ステップＳ１２で行った税公金帳票用のキーワード抽出結果に基づき、帳票に税公金帳票用のキーワードが存在するかを判断する（ステップＳ１４）。主制御部１１０は、帳票に税公金帳票用のキーワードが存在すると判断すると（ステップＳ１４のＹｅｓ）、帳票が税公金帳票と判断して、税公金処理を行う（ステップＳ１６）。
【００５２】
税公金処理は、公知の処理であるので、簡単に説明する。税公金認識処理部１４０は、税公金帳票と識別された帳票の各見出しから該当する項目内容の位置特定を行い、見出しに対応する項目内容を判定する。図１３の帳票Ｐ２の例では、見出しが口座番号ａ１１とすると、項目内容として「11111-11-11111」（ｂ１１）が認識される。税公金認識処理部１４０によって認識された各見出しと対応する項目内容が、認識結果通知部１８０に通知される。認識結果通知部１８０は、認識された結果を帳票アプリ５００に通知する。
【００５３】
主制御部１１０は、帳票に税公金帳票用のキーワードが存在しないと判断すると（ステップＳ１４のＮｏ）、帳票が税公金帳票ではないと判断する。窓口収納識別部１５０は、窓口収納用の帳票（為替私製単票）のキーワード抽出を行う（ステップＳ１８）。
【００５４】
図９は、窓口収納用の帳票のキーワード抽出処理のサブルーチンである。窓口収納認識処理部１６０は、窓口収納用の帳票の「見出し」のキーワードとして、「振込金額」や「振込先」に相当する用語を抽出する。
【００５５】
窓口収納認識処理部１６０は、ステップＳ３００からステップＳ３１０までの処理を、ステップＳ１０８で抽出された「見出し」の文字列分ループする。そして、窓口収納認識処理部１６０は、ステップＳ３０２からステップＳ３０８までの処理を、窓口収納キーワードテーブルＴ６の総数分をループする。
【００５６】
窓口収納認識処理部１６０は、抽出した文字列が窓口収納キーワードテーブルＴ６の中に存在するかを判断する（ステップＳ３０４）。窓口収納認識処理部１６０は、文字列が窓口収納キーワードに存在すると判断すると（ステップＳ３０４のＹｅｓ）、窓口収納キーワードと一致する文字列を抽出する（ステップＳ３０６）。
【００５７】
窓口収納認識処理部１６０は、文字列が窓口収納キーワードテーブルＴ６の中に存在しないと判断すると（ステップＳ３０４のＮｏ）、ステップＳ３０８に進む。窓口収納認識処理部１６０は、帳票の抽出した文字列の全部の判断が終了すると、図６に戻る。
【００５８】
窓口収納識別部１５０は、窓口収納先判別を行う（ステップＳ２０）。窓口収納先判別とは、窓口収納用の帳票の収納先が、予め定めた特定の企業であるかを判別する処理である。図１０は、窓口収納先判別処理のサブルーチンである。
【００５９】
窓口収納識別部１５０は、振込先の見出しが存在するかを判断する（ステップＳ４００）。窓口収納識別部１５０は、図９の窓口収納用の帳票のキーワード抽出の結果によって、帳票に「振込先」に関する見出しが存在するかを判断する。窓口収納識別部１５０は、「振込先」に関する見出し（振込先、支払先、受取人、収納先等）が存在すると判断すると（ステップＳ４００のＹｅｓ）、ステップＳ４０２に進む。
【００６０】
窓口収納識別部１５０は、ステップＳ４０２からステップＳ４１２までの処理を、ステップＳ１０８で抽出された文字列分ループする。そして、窓口収納識別部１５０は、ステップＳ４０４からステップＳ４１０までの処理を、窓口収納企業名テーブルＴ５の総数分をループする。
【００６１】
窓口収納識別部１５０は、振込先の見出しに対応する項目内容、つまり振込先の企業名が窓口収納企業名テーブルＴ５に記載された特定の企業名に該当するかを判断する（ステップＳ４０６）。窓口収納識別部１５０は、振込先の企業名が窓口収納企業名テーブルＴ５に記載された特定の企業名に該当すると判断すると（ステップＳ４０６のＹｅｓ）、当該帳票が窓口収納用の帳票（特定企業の為替私製単票）であると判断する（ステップＳ４０８）。
【００６２】
窓口収納識別部１５０は、振込先の企業名が窓口収納企業名テーブルＴ５に記載された特定の企業名に該当しないと判断すると（ステップＳ４０６のＮｏ）、ステップＳ４１０に進む。
【００６３】
窓口収納識別部１５０は、振込先の企業名が窓口収納企業名テーブルＴ５に記載された特定の企業名のいずれにも該当しないと判断すると、当該帳票が窓口収納用の帳票でない（特定企業の為替私製単票でない）と判断する（ステップＳ４１４）。
【００６４】
また、窓口収納識別部１５０は、振込先の見出しが存在しないと判断すると（ステップＳ４００のＮｏ）、当該帳票が窓口収納用の帳票でないと判断する。主制御部１１０は、窓口収納先判別処理を終了して、図６に戻る。
【００６５】
主制御部１１０は、当該帳票が窓口収納用の帳票であるかを判断する（ステップＳ２２）。主制御部１１０は、図１０のステップＳ４０８やステップＳ４１４の結果により、窓口収納用の帳票であるかを判断する。
【００６６】
主制御部１１０は、帳票が窓口収納用の帳票でないと判断すると（ステップＳ２２のＮｏ）、当該帳票をリジェクトして（ステップＳ２６）、処理を終了する。
【００６７】
主制御部１１０は、当該帳票が窓口収納用の帳票であると判断すると（ステップＳ２２のＹｅｓ）、窓口収納処理を行う（ステップＳ２４）。図１１は、窓口収納処理のサブルーチンである。
【００６８】
窓口収納認識処理部１６０は、金額の見出しが存在するかを判断する（ステップＳ５００）。窓口収納認識処理部１６０は、金額の見出しが存在すると判断すると（ステップＳ５００のＹｅｓ）、金額の項目内容の位置を特定する（ステップＳ５０２）。そして、窓口収納認識処理部１６０は、金額の項目内容の文字認識を行い（ステップＳ５０４）、金額（振込金額）を決定する。例えば、図１４の帳票Ｐ３では、金額の見出しが金額ａ２４で、金額の項目内容が「１１１１１」（ｂ２４）と決定される。また、図１４の帳票Ｐ４では、金額の見出しが金額ａ３１で、金額の項目内容が「１１１１１」（ｂ３１）と決定される。
【００６９】
認識結果通知部１８０は、ステップＳ５００のＮｏあるいはステップＳ５０４の後、認識した結果（金額と振込先）を帳票アプリ５００に通知する（ステップＳ５０６）。
【００７０】
図１２は、結果通知処理のサブルーチンである。窓口収納認識処理部１６０は、金額の項目内容の認識結果があるかを判断する（ステップＳ６００）。金額の項目内容が有効に識別された場合に、金額の項目内容の認識結果があると判断される。
【００７１】
認識結果通知部１８０は、金額の項目内容の認識結果があると判断すると（ステップＳ６００のＹｅｓ）、通知内容として「その他、収納先、振込金額」を結合する（ステップＳ６０２）。「その他」とは、帳票が税公金帳票以外の帳票であることの意味である。
【００７２】
認識結果通知部１８０は、金額の項目内容の認識結果がないと判断すると（ステップＳ６００のＮｏ）、通知内容として「その他、収納先」を結合する（ステップＳ６０４）。金額の項目内容の認識結果がないとは、金額が記載されていない場合や、記載が不明瞭な場合である。
【００７３】
認識結果通知部１８０は、結合した結果（通知内容）を帳票アプリ５００に通知する（ステップＳ６０６）。図１２の処理を終了して、図６に戻る。主制御部１１０は、図６の処理を終了する。
【００７４】
帳票アプリ５００は、通知された結果をモニタ１２に表示する。例えば、図１４の帳票Ｐ３の場合に、通知内容が「その他、収納先、振込金額」とすると、「帳票が為替私製単票、収納先が□□□学園、振込金額が１１１１１円」との内容が、モニタ１２に表示される。また、通知内容が「その他、収納先」である場合には、例えば、「帳票が為替私製単票、収納先が××学園、振込金額は不明」が、モニタ１２に表示される。
【００７５】
図１５は、一般的な為替私製単票に記載される認識対象項目を表にまとめたものである。認識対象項目は、Ｎｏ１振込先銀行名〜Ｎｏ９整理番号まで９項目ある。帳票が為替私製単票であるかの判断は、通常は、９項目の見出しと項目内容を識別した上で行われる。対して、本実施形態では、Ｎｏ５受取人名とＮｏ６振込金額の２項目のみを識別するだけで、特定企業の為替私製単票であることが判断される。これは、最初に帳票が税公金帳票であるかを判断し、税公金帳票でない帳票について、特定企業の為替私製単票であるかを判断するようにしたからである。２項目の認識だけで判断できるので、処理速度も速くなり、かつ判断精度も向上する。
【００７６】
〈効果〉
本発明では、窓口収納の用途で取り扱う特定企業かどうかを識別することで、為替私製単票の一部の自動識別を行うことができる。税公金業務における窓口収納用途の帳票について、手動で行っていた業務を自動化でき、業務を効率化できる。これにより、オペレーターが窓口収納用途の帳票（特定企業の為替私製単票）かどうか判定するスキルが必要なくなる。
【００７７】
なお、窓口収納キーワードは、振込の金額と振込先に関するものと説明したが、この２つに限るものではなく、他のキーワードを加えてもよい。
【００７８】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用ができることはもちろんである。
【符号の説明】
【００７９】
１  帳票処理システム
１０  帳票処理装置
１２  モニタ
１４  キーボード
２０  スキャナ
１００  帳票認識装置
１１０    主制御部
１２０    スキャナ制御部
１３０    税公金帳票識別部
１４０    税公金認識処理部
１５０    窓口収納識別部
１６０    窓口収納認識処理部
１７０    文字認識処理部
１８０    認識結果通知部
５００    帳票アプリ
Ｔ１      税公金キーワードテーブル
Ｔ２      税目追加キーワードテーブル
Ｔ３      税公金市区町村テーブル
Ｔ４      税公金企業名テーブル
Ｔ５      窓口収納企業名テーブル
Ｔ６      窓口収納キーワードテーブル
Ｔ７      手書文字認識辞書
Ｔ８      活字文字認識辞書
【図１】
2019101454.tif 000003
【図２】
2019101454.tif 000004
【図３】
2019101454.tif 000005
【図４】
2019101454.tif 000006
【図５】
2019101454.tif 000007
【図６】
2019101454.tif 000008
【図７】
2019101454.tif 000009
【図８】
2019101454.tif 000010
【図９】
2019101454.tif 000011
【図１０】
2019101454.tif 000012
【図１１】
2019101454.tif 000013
【図１２】
2019101454.tif 000014
【図１３】
2019101454.tif 000015
【図１４】
2019101454.tif 000016
【図１５】
2019101454.tif 000017